【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
コマンドベースのグループテキストメッセージングシステムであって、
後で受信側グループに同報通信されるよう、該受信側グループを識別するためのコマンドが含まれ得るテキストメッセージを作成する開始モバイル通信デバイスと、
前記開始モバイル通信デバイスから受信した前記テキストメッセージに含まれ得る前記受信側グループを識別するための前記コマンドを分析することによって前記受信側グループを決定し、該受信側グループに前記テキストメッセージを同報通信する通信サーバと
を備え、
前記開始モバイル通信デバイスは、複数のコマンドのいずれか１つを利用して前記通信サーバと通信し、
前記複数のコマンドは、前記受信側グループを識別するための前記コマンドを含み、かつ、前記通信サーバを介した、ユーザまたはユーザ定義グループの作成、管理および除去と、グループ内の通信とを容易にし、
前記通信サーバはスマートホンであって、該スマートホンは、ユーザグループにホストし、かつ、メッセージログを保持することによって、該スマートホンから直接的にグループ管理を実行することが可能となり、該スマートホンは、少なくとも１つのグループに対して前記通信サーバとして動作し、前記通信サーバがホストする少なくとも１つのグループに属し、
前記通信サーバは、グループごとに同報通信された各テキストメッセージを後で見られるようにデータベースに記憶することによって、前記メッセージログを作成して更新する
ことを特徴とするシステム。
【請求項２】
前記開始モバイル通信デバイスは、モバイルホン、パーソナルデジタルアシスタントおよびスマートホンのうちのいずれか１つを含むことを特徴とする請求項１に記載のシステム。
【請求項３】
前記受信側グループは、複数のユーザと各ユーザのモバイル通信デバイスとを含むことを特徴とする請求項１に記載のシステム。
【請求項４】
前記受信側グループは、前記開始モバイル通信デバイスおよび少なくとも１つの他のモバイル通信デバイスを含むことを特徴とする請求項１に記載のシステム。
【請求項５】
前記通信サーバから前記受信側グループに前記テキストメッセージを同報通信する同報通信コンポーネントをさらに備えることを特徴とする請求項１に記載のシステム。
【請求項６】
前記複数のコマンドはＳＭＳベースであることを特徴とする請求項１に記載のシステム。
【請求項７】
前記テキストメッセージを前記受信側グループに同報通信するのを容易にするために前記通信サーバからアクセス可能な少なくとも１つのデータベースをさらに備え、該少なくとも１つのデータベースは、ユーザ情報、グループ情報およびメッセージログのうちの少なくとも１つを含むことを特徴とする請求項１に記載のシステム。
【請求項８】
ユーザによるグループ維持または作成を容易にするグループ管理サブシステムをさらに備えることを特徴とする請求項１に記載のシステム。
【請求項９】
ウェブインターフェース上とモバイル通信デバイスインターフェース上とのうちの少なくとも一方で利用されることを特徴とする請求項１に記載のシステム。
【請求項１０】
前記受信側グループは、前記グループ内の通信または前記グループとの通信を制御する少なくとも１人のグループ所有者を含むことを特徴とする請求項１に記載のシステム。
【請求項１１】
ユーザのステータスまたはグループのステータスのうちの少なくとも一方を識別するポーリングコンポーネントをさらに備えることを特徴とする請求項１に記載のシステム。
【請求項１２】
前記通信サーバはグループのユーザにシリアル接続または無線接続され、各ユーザは、テキストメッセージを送信または受信するよう装備された少なくとも１つのモバイル通信デバイスを有することを特徴とする請求項１に記載のシステム。
【請求項１３】
前記開始モバイル通信デバイス上でテキストメッセージを作成するのを容易にするためにユーザの音声を検出してテキストに変換する音声認識システムをさらに備えることを特徴とする請求項１に記載のシステム。
【請求項１４】
前記通信サーバに動作可能に接続され、前記テキストメッセージ中の１つまたは複数の単語を少なくとも１つのグループに関連付け、前記受信側グループを推論する人工知能コンポーネントをさらに備えることを特徴とする請求項１に記載のシステム。
【請求項１５】
リアルタイムのグループ通信を容易にする方法であって、
後で受信側グループに同報通信されるよう、該受信側グループを識別するためのコマンドが含まれ得るテキストメッセージを開始モバイル通信デバイス上で作成するステップと、
前記テキストメッセージを前記開始モバイル通信デバイスから通信サーバに送信するステップであって、前記通信サーバはスマートホンであり、該スマートホンは、少なくとも１つのグループに対して前記通信サーバとして動作し、前記通信サーバがホストする少なくとも１つのグループに属する、送信するステップと、
前記通信サーバにより、前記開始モバイルデバイスから受信した前記テキストメッセージに含まれ得る前記受信側グループを識別するための前記コマンドを分析することによって前記受信側グループを決定し、該受信側グループに前記テキストメッセージを同報通信するステップと、
複数のコマンドを利用することによって少なくとも部分的に１つまたは複数の受信側グループを管理するステップであって、前記複数のコマンドは、前記受信側グループを識別するための前記コマンドを含み、かつ、前記通信サーバを介した、ユーザまたはユーザ定義グループの作成、管理および除去と、グループ内の通信とを容易にする、管理するステップと、
ユーザグループにホストし、かつ、メッセージログを保持することによって、前記スマートホン上で直接的にグループ管理を実行することを可能にするステップと、
前記通信サーバにより、グループごとに同報通信された各テキストメッセージを後で見られるようにデータベースに記憶することによって、前記メッセージログを作成して更新するステップとを備えることを特徴とする方法。
【請求項１６】
ウェブインターフェースまたはモバイル通信デバイスインターフェースのうちの少なくとも一方を使用して実施されることを特徴とする請求項１５に記載の方法。
【請求項１７】
リアルタイムのグループ通信および綿密調整を容易にする方法であって、
開始モバイル通信デバイスにより、受信側グループを識別するためのコマンドが含まれ得るテキストメッセージを、少なくとも１つのアクセス番号を介して通信サーバに送信するステップと、
前記通信サーバにより、前記開始モバイルデバイスから受信した前記テキストメッセージに含まれ得る前記受信側グループを識別するための前記コマンドを分析することによって前記受信側グループを決定するステップと、
前記通信サーバから前記受信側グループに前記テキストメッセージを同報通信するステップと、
複数のＳＭＳベースのコマンドを利用することによって少なくとも部分的に１つまたは複数の受信側グループを管理するステップであって、前記複数のＳＭＳベースのコマンドは、前記受信側グループを識別するための前記コマンドを含み、かつ、前記通信サーバを介した、ユーザまたはユーザ定義グループの作成、管理および除去と、グループ内の通信とを容易にし、前記通信サーバはスマートホンであり、該スマートホンは、少なくとも１つのグループに対して前記通信サーバとして動作し、前記通信サーバがホストする少なくとも１つのグループに属する、管理するステップと、
ユーザグループにホストし、かつ、メッセージログを保持することによって、前記スマートホン上で直接的にグループ管理を実行することを可能にするステップと、
前記通信サーバにより、グループごとに同報通信された各テキストメッセージを後で見られるようにデータベースに記憶することによって、前記メッセージログを作成して更新するステップとを備えることを特徴とする方法。
【請求項１８】
前記受信側グループを決定するステップは、
前記テキストメッセージ中で指定されているグループ名を認識するステップと、
１つまたは複数のデータベースにアクセスして前記グループのメンバに関する情報を突き止めるステップとを含むことを特徴とする請求項１７に記載の方法。
【請求項１９】
前記受信側グループを決定するステップは、前記テキストメッセージ中でグループ名が指定されていないときに、メッセージ作成者によって選択されたデフォルトグループに関する情報を求めて１つまたは複数のデータベースにアクセスするステップを含むことを特徴とする請求項１７に記載の方法。
【請求項２０】
前記受信側グループを決定するステップは、ユーザの挙動に少なくとも部分的に基づいて前記テキストメッセージからの１つまたは複数の単語を少なくとも１つのグループに関連付けることを学習し、前記受信側グループを推論するステップを含むことを特徴とする請求項１７に記載の方法。
【請求項２１】
グループステータスまたはメンバステータスのうちのいずれか一方を決定するステップ、
グループプロファイルまたはメンバプロファイルのうちのいずれか一方を決定するステップ、
新しいグループを作成するステップ、
新しいメンバをグループに追加するステップ、
既存のメンバを前記グループから除去するステップ、
グループ情報を修正するステップ、
メンバ情報を修正するステップ、
メンバのアクセス権を修正するステップ、
いずれか１つのグループへのアクセス権を修正するステップ、
グループステータスを修正するステップ、
いずれかのグループのメッセージログを見るステップ、および
いずれかのグループに加入するステップのうちの少なくとも１つをさらに備えることを特徴とする請求項１７に記載の方法。
【請求項２２】
１つまたは複数のＳＭＳベースのコマンドを利用することによって少なくとも部分的に実施されることを特徴とする請求項２１に記載の方法。
【請求項２３】
前記テキストメッセージを解析し、少なくとも１つのコマンドを認識して、実施すべき所望の動作を決定するステップをさらに備えることを特徴とする請求項２２に記載の方法。
【請求項２４】
前記グループステータスを修正するステップは少なくとも１人のグループ所有者によって実施されることを特徴とする請求項２１に記載の方法。
【請求項２５】
前記グループへのアクセス権を修正するステップは少なくとも１人のグループ所有者によって実施されることを特徴とする請求項２１に記載の方法。
【請求項２６】
前記グループに加入するステップは、前記グループに対するメンバシップを要求するテキストメッセージを、前記通信サーバを介して前記グループに送信するステップを含むことを特徴とする請求項２１に記載の方法。
【請求項２７】
リアルタイムのグループ通信および綿密調整を容易にするシステムであって、
受信側グループを識別するためのコマンドが含まれ得るテキストメッセージを、少なくとも１つのアクセス番号を介して通信サーバに送信する手段と、
前記テキストメッセージに含まれ得る前記受信側グループを識別するための前記コマンドを分析することによって前記受信側グループを決定する手段と、
前記通信サーバから前記受信側グループに前記テキストメッセージを同報通信する手段と、
複数のＳＭＳベースのコマンドを利用することによって少なくとも部分的に１つまたは複数の受信側グループを管理する手段であって、前記複数のＳＭＳベースのコマンドは、前記受信側グループを識別するための前記コマンドを含み、かつ、前記通信サーバを介した、ユーザまたはユーザ定義グループの作成、管理および除去と、グループ内の通信とを容易にし、前記通信サーバはスマートホンであり、該スマートホンは、少なくとも１つのグループに対して前記通信サーバとして動作し、前記通信サーバがホストする少なくとも１つのグループに属する、管理する手段と、
ユーザグループにホストし、かつ、メッセージログを保持することによって、前記スマートホン上で直接的にグループ管理を実行することを可能にする手段と、
グループごとに同報通信された各テキストメッセージを後で見られるようにデータベースに記憶することによって、前記メッセージログを作成して更新する手段とを備えることを特徴とするシステム。
【請求項２８】
前記通信サーバにより前記受信側グループを決定することは、
前記テキストメッセージ中で指定されているグループ名を認識することと、
１つまたは複数のデータベースにアクセスして前記グループのメンバに関する情報を突き止めることとを含むことを特徴とする請求項１に記載のシステム。
【請求項２９】
前記通信サーバにより前記受信側グループを決定することは、前記テキストメッセージ中でグループ名が指定されていないときに、メッセージ作成者によって選択されたデフォルトグループに関する情報を求めて１つまたは複数のデータベースにアクセスすることを含むことを特徴とする請求項１に記載のシステム。
【請求項３０】
前記通信サーバにより前記受信側グループを決定することは、ユーザの挙動に少なくとも部分的に基づいて前記テキストメッセージからの１つまたは複数の単語を少なくとも１つのグループに関連付けることを学習し、前記受信側グループを推論することを含むことを特徴とする請求項１に記載のシステム。
【請求項３１】
前記受信側グループを決定することは、
前記テキストメッセージ中で指定されているグループ名を認識するステップと、
１つまたは複数のデータベースにアクセスして前記グループのメンバに関する情報を突き止めるステップとを含むことを特徴とする請求項１５に記載の方法。
【請求項３２】
前記受信側グループを決定することは、前記テキストメッセージ中でグループ名が指定されていないときに、メッセージ作成者によって選択されたデフォルトグループに関する情報を求めて１つまたは複数のデータベースにアクセスするステップを含むことを特徴とする請求項１５に記載の方法。
【請求項３３】
前記受信側グループを決定することは、ユーザの挙動に少なくとも部分的に基づいて前記テキストメッセージからの１つまたは複数の単語を少なくとも１つのグループに関連付けることを学習し、前記受信側グループを推論するステップを含むことを特徴とする請求項１５に記載の方法。